(57)【要約】【課題】簡易に情景模型を交換して楽しむことができる鉄道模型装置を提供する。【解決手段】基台１と、基台の上面に環状に敷設された一対のレール２と、基台の内部に組み込まれるとともに各々のレールに両極が接続された直流電気回路と、車輪によってレール２上に走向自在に設けられるとともに車輪を介して供給される直流電源によって車輪を回転させる直流モータが搭載された鉄道模型車両５とを備えてなり、かつ基台１の上面に、環状のレール２の内側に配置される内側基板２５と外側に配置される外側基板２６とが着脱自在に設けられ、内側基板２５および外側基板２６の少なくとも一方の上面に、レールを取り巻く風景を縮尺した情景模型２７、２８が配置されている。【選択図】図３
2018033680.tif 000002
【特許請求の範囲】
【請求項１】
基台と、この基台の上面に環状に敷設された一対のレールと、上記基台の内部に組み込まれるとともに各々のレールに両極が接続された直流電気回路と、車輪によって上記レール上に走向自在に設けられるとともに上記車輪を介して供給される直流電源によって上記車輪を回転させる直流モータが搭載された鉄道模型車両とを備えてなり、
かつ、上記基台の上面に、上記環状のレールの内側に配置される内側基板と、上記環状のレールの外側に配置される外側基板とが着脱自在に設けられ、これら内側基板および外側基板の少なくとも一方の上面に、上記レールを取り巻く風景を縮尺した情景模型が配置されていることを特徴とする鉄道模型装置。
【請求項２】
上記基台の外周面には、家庭用電源を５Ｖ以下の直流に変換した電源ケーブルの端子が接続される上記直流電気回路の接続口が設けられていることを特徴とする請求項１に記載の鉄道模型装置。
【請求項３】
上記電源ケーブルが、充電ＵＳＢケーブルであり、上記接続口が、上記充電ＵＳＢケーブルのマイクロＵＳＢコネクタであることを特徴とする請求項２に記載の鉄道模型装置。
【請求項４】
上記一対のレールの軌間は、Ｎゲージ（軌間：９ｍｍ）またはＺゲージ（同：６．５ｍｍ）であることを特徴とする請求項１ないし３のいずれかに記載の鉄道模型装置。
【発明の詳細な説明】
【技術分野】
【０００１】
本発明は、鉄道模型車両を基台上に設けられたレールに沿って電動走向させる鉄道模型装置に関するものである。
【背景技術】
【０００２】
従来から、鉄道に関わる趣味の一種として、下記特許文献１に見られるような、基台上にレールを敷設し、このレール上に鉄道模型車輌を走向させる鉄道模型装置が愛好されている。
【０００３】
このような鉄道模型装置においては、一般的に、上記レールの周囲に情景模型（レイアウトまたはジオラマ）と呼ばれる鉄道を取り巻く風景を縮尺した模型を配置することにより、本物の風景の中を鉄道模型車両が走行してように擬似化させて楽しむものが好まれている。
【０００４】
ところが、上記情景模型は、レールを配置した基台上に組み立てられたものであるために、例えばＯゲージ（軌間：３２mm）やＨＯゲージ（同：１６．５mm）を用いた広いスペースに設置される大掛かりな鉄道模型装置においては、長期間にわたって飽きられることがないものの、狭いスペースに配置される簡易な鉄道模型装置においては、鑑賞寿命が短いという問題点があった。
【０００５】
そこで、上記情景模型を一定期間毎に変更しようとすると、上記情景模型は基台上に固定されているために、その撤去や新たな情景模型の組み立てに多くの手間や作業が必要になり、コストも嵩むという問題点があった。
【先行技術文献】
【特許文献】
【０００６】
【特許文献１】特開２００６−２０４４９１号公報
【発明の概要】
【発明が解決しようとする課題】
【０００７】
本発明は、上記事情に鑑みてなされたものであり、特に小型の卓上用等の小型の鉄道模型においても、簡易に情景模型を交換して楽しむことができる鉄道模型装置を提供することを課題とするものである。
【課題を解決するための手段】
【０００８】
上記課題を解決するため、請求項１に記載の本発明に係る鉄道模型装置は、基台と、この基台の上面に環状に敷設された一対のレールと、上記基台の内部に組み込まれるとともに各々のレールに両極が接続された直流電気回路と、車輪によって上記レール上に走向自在に設けられるとともに上記車輪を介して供給される直流電源によって上記車輪を回転させる直流モータが搭載された鉄道模型車両とを備えてなり、かつ上記基台の上面に、上記環状のレールの内側に配置される内側基板と、上記環状のレールの外側に配置される外側基板とが着脱自在に設けられ、これら内側基板および外側基板の少なくとも一方の上面に、上記レールを取り巻く風景を縮尺した情景模型が配置されていることを特徴とするものである。
【０００９】
また、請求項２に記載の発明は、請求項１に記載の発明において、上記基台の外周面には、家庭用電源を５Ｖ以下の直流に変換した電源ケーブルの端子が接続される上記直流電気回路の接続口が設けられていることを特徴とするものである。
【００１０】
さらに、請求項３に記載の発明は、請求項２に記載の発明において、上記電源ケーブルが、充電ＵＳＢケーブルであり、上記接続口が、上記充電ＵＳＢケーブルのマイクロＵＳＢコネクタであることを特徴とするものである。
【００１１】
また、請求項４に記載の発明は、請求項１〜３のいずれかに記載の発明において、上記一対のレールの軌間は、Ｎゲージ（軌間：９ｍｍ）またはＺゲージ（同：６．５ｍｍ）であることを特徴とするものである。
【発明の効果】
【００１２】
請求項１〜４のいずれかに記載の発明によれば、環状のレールが敷設された基台の上面に、レールの内側に配置される内側基板と外側に配置される外側基板とを着脱自在に設け、これら内側基板および外側基板の少なくとも一方の上面に、上記レールを取り巻く風景を縮尺した情景模型を配置しているために、異なる情景模型を配置した複数の内側基板および／または外側基板に適宜交換することができる。この結果、特に小型の卓上用等の小型の鉄道模型においても、容易に異なった風景の鉄道模型装置に改変させて楽しむことができる。
【００１３】
ところで、このような鉄道模型装置は、一般的に鉄道模型車両を直流のモータで駆動するものが多く用いられており、その電源として家庭用電源の交流を直流に変換して電圧を落としたものが供給されている。このため、上記鉄道模型装置とは別個に、上記コントローラを購入する必要があり、費用が嵩むとともに、上記コントローラの設置場所にも別途広いスペースを要し、さらにその設置や使用後の格納にも手間を要することから、机上等に装飾用として飾られる簡易的な鉄道模型装置の使用には適さないという問題点があった。
【００１４】
この点、請求項２に記載の発明によれば、鉄道模型装置の基台の外周面に設けた直流電気回路の接続口に、直接家庭用電源を５Ｖ以下の直流に変換した電源ケーブルの端子を接続しているために、従来のようなコントローラを用いることなく鉄道模型車両を直流モータによって走向させることができる。
【００１５】
このため、上記鉄道模型装置の外周面に、さらに直流電気回路に介装した電流または電圧の制御部品の操作用ダイヤルや走向方向の切り替えノブ等を設けることにより、鉄道模型装置のみによって鉄道模型車両の走行を制御して楽しむことができる。
【００１６】
ここで、上記電源ケーブルとしては、請求項３に記載の発明のように、携帯電話やデジタルカメラ等のバッテリーの充電用として広く用いられている汎用の充電ＵＳＢケーブルを用いることが好適である。
【００１７】
この結果、請求項１〜３のいずれかに記載の発明は、請求項４に記載の発明のように、特にレールの軌間がＮゲージ（９ｍｍ）またはＺゲージ（６．５ｍｍ）である小型の鉄道模型装置に好適である。
【図面の簡単な説明】
【００１８】
【図１】本発明の一実施形態における基台を示す斜視図である。
【図２】図１の基台、外側基板および内側基板の分解斜視図である。
【図３】図２の外側基板および内側基板に情景模型を設けた状態を示す分解斜視図である。
【図４】図３の組み立て図である。
【図５】図１の基台内における直流電気回路を示す回路図である。
【図６】図１のレールの構造を示す横断面図である。
【図７】図１の鉄道模型車両を示す斜視図である。
【図８】図７の内部構造を示す斜視図である。
【図９】図８の側面図である。
【図１０】図９の正面図である。
【図１１】本発明の他の実施形態における外側基板および内側基板に情景模型を設けた状態を示す分解斜視図である。
【図１２】図１１の組み立て図である。
【発明を実施するための形態】
【００１９】
図１〜図１０は、本発明に係る鉄道模型装置の一実施形態を示すもので、図中符号１が基台である。
この基台１は、合成樹脂、木材あるいは金属板によって内部が中空の長方形板状に形成されたもので、その面積はＡ４規格の用紙の面積以下に形成されている。そして、この基台１上面に、長円形状の環状の段部２４が形成され、この段部２４上に、長円形状をなす一対のレール２が敷設されている。
【００２０】
このレール２は、図６に示すように、断面円形の銅線、アルミニウム線あるいは真鍮線からなるもので、上記合成樹脂製の模型の基板３上に支柱４が一体成形され、この支柱４の上面に形成された切り込み部４ｂを有する凹部４ａに嵌合され、上記切り込み部４ｂの弾性力により固定されている。この際に、補助的に接着剤を介して嵌合固定してもよい。また、レール２の軌間は、Ｎゲージ（軌間：９mm）あるいはＺゲージ（同：６．５mm）に対応した寸法に設定されている。そして、基板３が基台１の段部２４の上面に固定されている。
【００２１】
さらに、基台１の上面には、図２に示すように、長円形状のレール２の内側に配置される長円形状の内側基板２５と、環状のレール２の外側に配置される外側基板２６とが着脱自在に設けられている。そして、本実施形態においては、これら内側基板２５および外側基板２６の上面に、図３および図４に示すように、それぞれ情景模型２７、２８が一体的に固定されている。
【００２２】
ここで、基台１の段部２４は、その高さ寸法が内側基板２５および外側基板２６の厚さ寸法と等しくなるように形成されている。また、内側基板２５の外形寸法は、段部２４の内形寸法と略等しく、かつ外側基板２６は、外形寸法が基台１の上面と略等しい方形状に形成され、その内部に段部２４が密に嵌り込む開口部２６ａが形成されている。
【００２３】
さらに、基台１の上面の所定の箇所には、小孔１ａが穿設されるとともに、内側基板２５および外側基板２６の下面には、上記小孔１ａに挿入されて位置決めを行うための突起が形成されている。これにより、内側基板２５および外側基板２６を段部２４の内外に配置され、各々の突起を基台１の小孔１ａに係合させて基台１上に設置された際に、段部２４のレベルと内側基板２５および外側基板２６のレベルとが連続するように構成されている。
【００２４】
このようにして内外に内側基板２５および外側基板２６が取り付けられたレール２上に、例えば図７〜図１０に示すような鉄道模型車両５や他の鉄道模型車両５´が車輪６を介して走向されるようになっている。
この鉄道模型車両５は、車輪６の間隔がＮゲージに対応した寸法に設定されるとともに、内部には車輪６を駆動するための直流モータ７が搭載されている。
【００２５】
この直流モータ７の出力軸には、ウオーム８ａとウオームホイール８ｂとからなるウオームギヤ８が取り付けられ、ウオームホイール８ｂが一方の車輪６に一体化されたギヤ６ａに歯合されるとともに、このギヤ６ａと他方の車輪６に一体化されたギヤ６ａとがアイドルギヤ９を介して歯合されている。
【００２６】
ちなみに、上記直流モータ７としては、定格電圧4.5V、無負荷回転数35,000rpm、無負荷電流70mAあるいは定格電圧3.0V、無負荷回転数21,000rpm、無負荷電流26mAの汎用のモータが用いられている。また、鉄道模型車両５の側面には各々集電板が設けられており、後述する直流電気回路１４の両極が接続されたレール２から上記集電板を介してモータ７に直流電源を供給するようになっている。
【００２７】
そして、この鉄道模型装置においては、図１に示すように、直流モータ７に直流電流を供給するための電源ケーブルとして、携帯電話やデジタルカメラ等のバッテリーの充填用として広く使用されている汎用の充電ＵＳＢケーブル１０が用いられている。この充電ＵＳＢケーブルは、家庭用の交流100Vを直流5Vに変換する変換器１１と、一端部のＵＳＢコネクタ１２ａが上記変換器１１に接続されるＵＳＢケーブル１２とから構成されたものである。
【００２８】
そして、基台１の側面には、ＵＳＢケーブル１２の他端部のマイクロＵＳＢコネクタ１２ｂが接続される接続口１３が設けられるとともに、内部には図５に示すような直流電気回路１４が組み込まれている。
【００２９】
この直流電気回路１４は、接続口１３から供給される直流電流の各極がそれぞれ一対のレール２に接続されたもので、回路をＯＮ−ＯＦＦさせるスイッチ１５と、回路を流れる電流値を調整する可変抵抗器１６と、回路の極を逆転させるスイッチ１７とが介装されている。
【００３０】
さらに、この直流電気回路１４には、充電用のバッテリー２１が組み込まれている。なお、図中符号２０は、接続口１３から供給される直流電源の5Vの電圧を、使用する直流モータ７の定格電圧に対応させて降圧させるための電圧調整用ダイオードである。
【００３１】
そして、基台１の側面には、上記スイッチ１５および可変抵抗１６を操作するための操作ダイヤル１８と、スイッチ１７を操作するための切換ノブ１９がそれぞれ設けられている。
【００３２】
以上の構成からなる鉄道模型装置においては、環状のレール２が敷設された基台１の上面に、レール２が敷設された段部２４の内側に配置される内側基板２５と外側に配置される外側基板２６とを着脱自在に設け、これら内側基板２５および外側基板２６の上面に、それぞれレール２を取り巻く風景を縮尺した情景模型２７、２８を配置している。
【００３３】
このため、上記情景模型２７、２８によってレール２上を走行する鉄道模型車両５、５´を鑑賞した後に、上記内側基板２５および外側基板２６を取り外して、例えば図１１および図１２に示すような異なる情景模型２９、３０を配置した内側基板２５および外側基板２６と交換することにより、異なった風景による鉄道車両模型５、５´の走行を楽しむことができる。
【００３４】
この結果、多様な情景模型を配置した内側基板２５および外側基板２６を複数用意しておくことにより、特に小型の卓上用等の小型の鉄道模型においても、容易に異なった風景の鉄道模型装置に改変させて楽しむことができる。
【００３５】
この際に、基台１の上面に、内側基板２５および外側基板２６の厚さ寸法と同じ高さの段部２４を形成し、この段部２４上にレール２を敷設しているために、内側基板２５および外側基板２６を配置した後に、これら内側基板２５および外側基板２６の上面レベルにレール２が敷設されているような自然な環境を再現させることができる。
【００３６】
さらに、レール２上に鉄道模型車両５、５´を配置し、家庭用の電源コンセントに差し込んだ充電ＵＳＢケーブル１０のマイクロＵＳＢコネクタ１２ｂを基台１の接続口１３に差し込んで、スイッチ１５を入れて操作ダイヤル１８を操作することにより、レール２から鉄道模型車両５、５´の直流モータ７を駆動させて当該鉄道模型車両５、５´をレール２に沿って走向させることができる。
【００３７】
加えて、基台１内の直流電気回路１４に、充電用のバッテリー２１を組み込んでいるために、事前に充電ＵＳＢケーブル１０のマイクロＵＳＢコネクタ１２ｂを基台１の接続口１３に接続して上記バッテリー２１を充電しておくことにより、操作時に充電ＵＳＢケーブル１０を接続することなく、バッテリー２１によって鉄道模型車両５、５´を走向させることもできる。
【００３８】
また、例えばパーソナルコンピュータに設けられた直流電源が供給可能なＵＳＢコネクタに、ＵＳＢケーブル１２のＵＳＢコネクタ１２ａを接続して基台１に給電することもできる。
【００３９】
このように、上記鉄道模型装置によれば、汎用の充電ＵＳＢケーブル１０のマイクロＵＳＢコネクタ１２ｂを基台１の接続口１３に接続するのみで、基台１に設けた操作ダイヤル１８や切換ノブ１９を操作することにより、従来のような大掛かりなコントローラを用いることなく鉄道模型車両５、５´を直流モータ７によって走向させることができる。
【００４０】
しかも、上記レール２を、合成樹脂製の模型の基板３上に一体成形された支柱４の凹部４ａに断面円形の銅線を嵌合して固定することによって構成しているために、基台１の面積が小さい場合においても、容易に複雑な曲がり形状を有するレール２を敷設することができる。
【００４１】
この結果、Ｎゲージ（９ｍｍ）やＺゲージ（６．５ｍｍ）等の軌間寸法が小さく、かつ基台１がＡ４規格以下の面積であって卓上に飾られる小型の鉄道模型装置を、簡易な充電ＵＳＢケーブル１０によって実現することが可能になる。
【符号の説明】
【００４２】
１  基台
２、２２  レール
５  鉄道模型車両
６  車輪
７  直流モータ
１０  充電ＵＳＢケーブル（電源ケーブル）
１３  接続口
１４  直流電気回路
２５  内側基板
２６  外側基板
２７、２８、２９、３０  情景模型
【図１】
2018033680.tif 000003
【図２】
2018033680.tif 000004
【図３】
2018033680.tif 000005
【図４】
2018033680.tif 000006
【図５】
2018033680.tif 000007
【図６】
2018033680.tif 000008
【図７】
2018033680.tif 000009
【図８】
2018033680.tif 000010
【図９】
2018033680.tif 000011
【図１０】
2018033680.tif 000012
【図１１】
2018033680.tif 000013
【図１２】
2018033680.tif 000014